(57)【要約】【課題】  ブームの作動開始直後における作業台の揺れを防止しつつ、ブームの姿勢変化に対する作業台のレベリング追従性と十分な平衡度の確保との両立を図る。【解決手段】  作業台４０が走行体１０に対してなす角度θ１と作業台４０がブーム３０に対してなす角度θ２との差である相対角度差θを算出するとともに、作業台４０が水平面に対してなす絶対角度φを求め、タイマー６３によりブーム操作レバー４１の操作継続時間Ｔを計測する。ブーム操作レバー４１の操作があったとき、算出された相対角度差θ及び検出された絶対角度φに、計測された操作継続時間Ｔに応じて各々定められた比率α，βをそれぞれに乗じて得られた角度の和（誤差γ）が所定値（零）になるようにレベリングシリンダ５５を作動させる。【選択図】        図５
2006016092.tif 000002
【特許請求の範囲】
【請求項１】
走行体と、
前記走行体上に起伏、伸縮動自在に設けられたブームと、
前記ブームの先端部に上下に揺動自在に取り付けられた作業台と、
前記ブームの起伏、伸縮作動指令を行うブーム操作手段と、
前記ブーム操作手段の操作に応じて前記ブームを起伏、伸縮作動させるブーム作動手段と、
前記作業台を上下に揺動させるアクチュエータと、
前記ブームが前記走行体に対してなす角度を検出するブーム起伏角度検出手段と、
前記作業台が前記ブームに対してなす角度を検出する作業台角度検出手段と、
前記作業台が水平面に対してなす絶対角度を検出する絶対角度検出手段と、
前記作業台角度検出手段の検出角度と前記ブーム起伏角度検出手段の検出角度との差である相対角度差を算出する演算手段と、
前記ブーム操作手段の操作継続時間を計測する時間計測手段と、
前記ブーム操作手段の操作があったとき、前記演算手段により算出された前記相対角度差及び前記絶対角度検出手段により検出された前記絶対角度に、前記時間計測手段により計測された前記ブーム操作手段の操作継続時間に応じて各々定められた比率をそれぞれに乗じて得られた角度の和が所定値になるように前記アクチュエータを作動させるアクチュエータ制御手段とを備えたことを特徴とするブーム式高所作業車のレベリング装置。
【請求項２】
走行体と、
前記走行体上に起伏、伸縮動自在に設けられたブームと、
前記ブームの先端部に上下に揺動自在に取り付けられた作業台と、
前記ブームの起伏、伸縮作動指令を行うブーム操作手段と、
前記ブーム操作手段の操作に応じて前記ブームを起伏、伸縮作動させるブーム作動手段と、
前記作業台を上下に揺動させるアクチュエータと、
前記ブームが前記走行体に対してなす角度を検出するブーム起伏角度検出手段と、
前記作業台が前記ブームに対してなす角度を検出する作業台角度検出手段と、
前記作業台が水平面に対してなす絶対角度を検出する絶対角度検出手段と、
前記作業台角度検出手段の検出角度と前記ブーム起伏角度検出手段の検出角度との差である相対角度差を算出する演算手段と、
前記ブーム操作手段の操作継続時間を計測する時間計測手段と、
前記時間計測手段により計測された前記ブーム操作手段の操作継続時間が所定時間に達するまでは、前記演算手段により算出された前記相対角度差が所定値になるように前記アクチュエータを作動させ、前記時間計測手段により計測された前記ブーム操作手段の操作継続時間が前記所定時間に達した後は、前記絶対角度検出手段により検出された前記絶対角度が所定値になるように前記アクチュエータを作動させるアクチュエータ制御手段とを備えたことを特徴とするブーム式高所作業車のレベリング装置。
【請求項３】
走行体と、
前記走行体上に起伏、伸縮動自在に設けられたブームと、
前記ブームの先端部に上下に揺動自在に取り付けられた作業台と、
前記ブームの起伏、伸縮作動指令を行うブーム操作手段と、
前記ブーム操作手段の操作に応じて前記ブームを起伏、伸縮作動させるブーム作動手段と、
前記作業台を上下に揺動させるアクチュエータと、
前記ブームが前記走行体に対してなす角度を検出するブーム起伏角度検出手段と、
前記作業台が前記ブームに対してなす角度を検出する作業台角度検出手段と、
前記作業台が水平面に対してなす絶対角度を検出する絶対角度検出手段と、
前記作業台角度検出手段の検出角度と前記ブーム起伏角度検出手段の検出角度との差である相対角度差を算出する演算手段と、
前記ブーム操作手段の操作が行われている間、前記絶対角度検出手段により検出された前記絶対角度が設定値以下であるときには前記演算手段により算出された前記相対角度差が所定値になるように前記アクチュエータを作動させ、前記絶対角度検出手段により検出された前記絶対角度が前記設定値を上回るときには前記絶対角度検出手段により検出された前記絶対角度が所定値になるように前記アクチュエータを作動させるアクチュエータ制御手段とを備えたことを特徴とするブーム式高所作業車のレベリング装置。
【発明の詳細な説明】
【技術分野】
【０００１】
本発明は、ブームの先端部に取り付けられた作業台をブームの起伏作動によらずほぼ水平な姿勢に保持するブーム式高所作業車のレベリング装置に関する。
【背景技術】
【０００２】
ブーム式高所作業車は、タイヤ車輪等により移動自在な走行体上にブームを設け、そのブーム先端部に作業者搭乗用の作業台を取り付けた構成となっている。ブームは起伏、伸縮、旋回作動等が自在であり、その作動操作は作業台上に備えられたレバー等のブーム操作手段の操作により行うことができる。ここで、作業台はブームの先端部に上下に揺動自在に取り付けられており、レベリングシリンダと呼ばれる油圧シリンダの伸縮作動により作業台を揺動させることにより、作業台（の床面）をブームの起伏作動によらず常時ほぼ水平にすることができるようになっている。
【０００３】
このような作業台のレベリング（水平取り）制御の方式としては、ブーム（ブーム基端部）が走行体に対してなす角度（一般にブーム起伏角度と呼ばれる）θ１及び作業台（の床面）がブーム（ブーム先端部）に対してなす角度θ２を検出するとともに、これら両角θ１，θ２の差（θ２−θ１）として定義される角度（相対角度差）が所定値（通常ほぼ零）になるようにレベリングシリンダの作動を制御する相対角レベリング制御が知られている。この相対角レベリング制御では、上記両角θ１，θ２はそれぞれほぼリアルタイムで検出できるため、ブームの姿勢変化に対する作業台のレベリング追従性が良好であるという利点があるものの、走行体が水平面上になく傾斜している場合、或いはブームの伸長量が大きくブーム全体に下方撓みが生じているような場合には、ブームの作動停止後においても作業台を完全な水平姿勢にできないという欠点がある。
【０００４】
また、このような相対角レベリング制御の欠点を補うものとして、作業台（の床面）が水平面となす角度（絶対角度）を検出してこれが所定値（通常ほぼ零）になるようにレベリングシリンダの作動を制御する絶対角レベリング制御が知られている。このような制御方式では、走行体の傾斜或いはブームの撓みの如何によらず、ブームの作動停止後には作業台をほぼ完全な水平姿勢にすることができるため、作業台上の作業者にとっては作業を行い易いという利点がある。また、相対角度差と絶対角度との双方を検出し、相対角度差を絶対角度により補正して得られた角度が所定値となるようにレベリング制御を行う補正型の相対角レベリング制御も知られている（下記の特許文献１参照）。このような補正型の相対角レベリング制御によれば、相対角レベリング制御による利点を生かしつつ、ブームに撓みが生じている場合であっても最終的に作業台を水平姿勢にすることが可能である。
【特許文献１】特開２０００−１６７８４号公報
【特許文献２】特開昭６１−７５７９９号公報
【発明の開示】
【発明が解決しようとする課題】
【０００５】
しかしながら、上記絶対角レベリング制御及び補正型の相対角レベリング制御においては、作業台が水平面となす角度（絶対角度）の検出に振り子式の検出器が用いられているため、慣性力の影響の大きいブームの作動開始直後における作業台のレベリング追従性は相対角レベリング制御に対して劣り、特に補正型の相対角レベリング制御方式では補正のタイミングが頻繁になって作業台が小刻みに揺れ、作業台上の作業者に不安定感を与えるおそれがあった。
【０００６】
本発明はこのような問題に鑑みてなされたものであり、ブームの作動開始直後における作業台の揺れを防止しつつ、ブームの姿勢変化に対する作業台のレベリング追従性と十分な平衡度の確保との両立を図ることが可能な構成のブーム式高所作業車のレベリング装置を提供することを目的としている。
【課題を解決するための手段】
【０００７】
このような目的を達成するため、第１の本発明に係るブーム式高所作業車のレベリング装置は、走行体と、走行体上に起伏、伸縮動自在に設けられたブームと、ブームの先端部に上下に揺動自在に取り付けられた作業台と、ブームの起伏、伸縮作動指令を行うブーム操作手段（例えば、実施形態におけるブーム操作レバー４１）と、ブーム操作手段の操作に応じてブームを起伏、伸縮作動させるブーム作動手段（例えば、実施形態におけるブーム起伏シリンダ５１、ブーム伸縮シリンダ５２及びコントローラ６０）と、作業台を上下に揺動させるアクチュエータ（例えば、実施形態におけるレベリングシリンダ５５）と、ブームが走行体に対してなす角度を検出するブーム起伏角度検出手段（例えば、実施形態における起伏角度検出器７１）と、作業台がブームに対してなす角度を検出する作業台角度検出手段（例えば、実施形態における作業台角度検出器７４）と、作業台が水平面に対してなす絶対角度を検出する絶対角度検出手段（例えば、実施形態における絶対角度検出器７６）と、作業台角度検出手段の検出角度とブーム起伏角度検出手段の検出角度との差である相対角度差を算出する演算手段（例えば、実施形態におけるコントローラ６０の相対角度差算出部６１）と、ブーム操作手段の操作継続時間を計測する時間計測手段（例えば、実施形態におけるタイマ−６３）と、ブーム操作手段の操作があったとき、演算手段により算出された相対角度差及び絶対角度検出手段により検出された絶対角度に、時間計測手段により計測されたブーム操作手段の操作継続時間に応じて各々定められた比率をそれぞれに乗じて得られた角度の和が所定値になるようにアクチュエータを作動させるアクチュエータ制御手段（例えば、実施形態におけるコントローラ６０のレベリングシリンダ制御部６２）とを備える。
【０００８】
第２の本発明に係るブーム式高所作業車のレベリング装置は、走行体と、走行体上に起伏、伸縮動自在に設けられたブームと、ブームの先端部に上下に揺動自在に取り付けられた作業台と、ブームの起伏、伸縮作動指令を行うブーム操作手段と、ブーム操作手段の操作に応じてブームを起伏、伸縮作動させるブーム作動手段と、作業台を上下に揺動させるアクチュエータと、ブームが走行体に対してなす角度を検出するブーム起伏角度検出手段と、作業台がブームに対してなす角度を検出する作業台角度検出手段と、作業台が水平面に対してなす絶対角度を検出する絶対角度検出手段と、作業台角度検出手段の検出角度とブーム起伏角度検出手段の検出角度との差である相対角度差を算出する演算手段と、ブーム操作手段の操作継続時間を計測する時間計測手段と、時間計測手段により計測されたブーム操作手段の操作継続時間が所定時間に達するまでは、演算手段により算出された相対角度差が所定値になるようにアクチュエータを作動させ、時間計測手段により計測されたブーム操作手段の操作継続時間が上記所定時間に達した後は、絶対角度検出手段により検出された絶対角度が所定値になるようにアクチュエータを作動させるアクチュエータ制御手段とを備える。
【０００９】
また、第３の本発明に係るブーム式高所作業車のレベリング装置は、走行体と、走行体上に起伏、伸縮動自在に設けられたブームと、ブームの先端部に上下に揺動自在に取り付けられた作業台と、ブームの起伏、伸縮作動指令を行うブーム操作手段と、ブーム操作手段の操作に応じてブームを起伏、伸縮作動させるブーム作動手段と、作業台を上下に揺動させるアクチュエータと、ブームが走行体に対してなす角度を検出するブーム起伏角度検出手段と、作業台がブームに対してなす角度を検出する作業台角度検出手段と、作業台が水平面に対してなす絶対角度を検出する絶対角度検出手段と、作業台角度検出手段の検出角度とブーム起伏角度検出手段の検出角度との差である相対角度差を算出する演算手段と、ブーム操作手段の操作が行われている間、絶対角度検出手段により検出された絶対角度が設定値（例えば、実施形態における閾値φ0）以下であるときには演算手段により算出された相対角度差が所定値になるようにアクチュエータを作動させ、絶対角度検出手段により検出された絶対角度が設定値を上回るときには絶対角度検出手段により検出された絶対角度が所定値になるようにアクチュエータを作動させるアクチュエータ制御手段とを備える。
【発明の効果】
【００１０】
第１の本発明に係るブーム式高所作業車のレベリング装置では、ブームの作動開始後、相対角レベリング制御（相対角度差が所定値になるようにアクチュエータを作動させる制御）の割合の強い制御から次第に絶対角レベリング制御（絶対角度が所定値になるようにアクチュエータをさせる制御）の割合の強い制御へ移行させるようにすることができるので、ブームの姿勢変化に対する作業台のレベリング追従性と十分な平衡度の確保との両立を図ることが可能である。また、このような構成ではブームの作動開始直後において相対角レベリング制御と絶対角レベリング制御とが交互に入れ替わるようなことはないので、ブームの作動開始直後に発生しがちな作業台の揺れを防止することもできる。
【００１１】
第２の本発明に係るブーム式高所作業車のレベリング装置は、ブーム操作手段の操作開始時は（計測されたブーム操作手段の操作継続時間が所定時間に達するまでは）相対角レベリング制御が行われ、ブーム操作手段の操作開始から所定時間が経過した後は（計測されたブーム操作手段の操作継続時間が所定時間に達した後は）、絶対角レベリング制御が行われるようになっている。これは、相対角度差に乗ぜられる比率をα、絶対角度に乗ぜられる比率をβとしたときに、上記第１の本発明に係るレベリング制御装置において、ブーム操作手段の操作継続時間が所定時間に達するまではα＝１００％，β＝０％、ブーム操作手段の操作継続時間が上記所定時間に達した後はα＝０％，β＝１００％となるようにすることにより実現できるので、第１の本発明に係るレベリング装置の効果を得つつも制御プログラムを簡単にでき、コストの低減を図ることができる。
【００１２】
第３の本発明に係るブーム式高所作業車のレベリング装置では、ブームの作動中は基本的には相対角レベリング制御が行われ、何らかの原因により作業台が水平面に対して大きく傾いたときのみ絶対角レベリング制御が行われるようになっているので、ブームの姿勢変化に対する作業台のレベリング追従性と十分な平衡度の確保との両立を図ることが可能である。また、このような構成ではブームの作動開始直後において相対角レベリング制御と絶対角レベリング制御とが交互に入れ替わるようなことはないので、ブームの作動開始直後に発生しがちな作業台の揺れを防止することもできる。
【発明を実施するための最良の形態】
【００１３】
以下、図面を参照して本発明の好ましい実施形態について説明する。図２は本発明に係る作業台のレベリング装置を備えたブーム式高所作業車１を示している。このブーム式高所作業車１はタイヤ車輪１１，１１，…を備えて運転キャビン１２から運転操作が可能なトラック式の走行体１０と、走行体１０上に設けられた旋回台２０と、この旋回台２０から上方に延びて設けられた支柱２１の上部にフートピン２２により上下に揺動自在に取り付けられた伸縮式のブーム３０と、このブーム３０の先端部に取り付けられた作業者搭乗用の作業台４０とを有して構成されている。
【００１４】
旋回台２０は走行体１０の後部に上下軸まわり３６０度回動自在に取り付けられており、走行体１０内に設けられたブーム旋回モータ５３を油圧駆動することにより水平旋回作動させることができる。ブーム３０は基端ブーム３０ａ、中間ブーム３０ｂ及び先端ブーム３０ｃが入れ子式に組み立てられた構成となっており、内蔵されたブーム伸縮シリンダ５２を油圧駆動することにより長手方向（軸方向）に伸縮作動させることができる。また、ブーム３０は基端ブーム３０ａと支柱２１との間に跨設されたブーム起伏シリンダ５１を油圧駆動することにより上下に起伏作動させることができる。
【００１５】
先端ブーム３０ｃの先端部には垂直ポスト３１が上方に延びて設けられており、この垂直ポスト３１の上端部には作業台支持プレート３２が設けられている。垂直ポスト３１はその下端部が先端ブーム３０ｃに枢結されて上下に揺動自在になっており、作業台支持プレート３２はレベリングシリンダ５５を介して先端ブーム３０ｃに連結されている。このため垂直ポスト３１はレベリングシリンダ５５を油圧駆動してこれを伸縮作動させることにより上下に揺動させることができ、ブーム３０の起伏姿勢の如何によらず垂直ポスト３１を常に垂直姿勢に保持することが可能である。
【００１６】
作業台４０は作業台支持プレート３２の上面側に上下軸まわり回動自在に取り付けられており、垂直ポスト３１をレベリングシリンダ５５の伸縮作動により常時垂直姿勢に保持することにより、作業台４０の床面を常にほぼ水平な姿勢に保つことが可能である。また、作業台４０は作業台４０自身に設けられた作業台旋回モータ５４を油圧駆動することにより作業台支持プレート３２の上面側において水平旋回させることが可能である。
【００１７】
走行体１０の前後左右各箇所には作業中の走行体１０を安定状態に支持するためのアウトリガジャッキ１３，１３，…が設けられている。各アウトリガジャッキ１３は走行体１０に垂設されたアウタージャッキ（シリンダチューブ）１３ａと、このアウタージャッキ１３ａ内に設けられて軸方向（上下方向）に移動自在なインナージャッキ（ピストンロッド）１３ｂと、インナージャッキ１３ｂの下端部に揺動自在に取り付けられたジャッキパッド１３ｃとを有して構成されており、インナージャッキ１３ｂを下方に移動させ、ジャッキパッド１３ｃを地面に接地させて突っ張らせることにより走行体１０を持ち上げ支持することができるとともに、インナージャッキ１３ｂを上方に移動させることで格納状態にすることができる。これらアウトリガジャッキ１３，１３，…の作動操作は走行体１０の後部に備えられたジャッキ操作レバー１４の操作により行うことができる。
【００１８】
作業台４０上にはブーム操作レバー４１及び作業台旋回操作レバー４２が設けられている。ブーム操作レバー４１は中立位置から前後左右方向への傾動操作及び軸まわり左右方向捻り操作が可能であり、その前後方向操作に応じてブーム起伏シリンダ５１を伸縮させるブーム起伏操作信号を出力し、左右方向操作に応じてブーム伸縮シリンダ５２を伸縮させるブーム伸縮操作信号を出力し、軸まわり左右方向捻り操作によりブーム旋回モータ５３を回転させるブーム旋回操作信号を出力する。また、作業台旋回操作レバー４２は中立位置から左右方向への傾動操作が可能であり、その左右方向傾動操作に応じて作業台旋回モータ５４を回転させる作業台旋回操作信号を出力する。
【００１９】
上記ブーム操作レバー４１の操作により出力された各操作信号（ブーム起伏操作信号、ブーム伸縮操作信号及びブーム旋回操作信号）は、図３に示すように、走行体１０上に設けられたコントローラ６０に入力される。コントローラ６０は入力されたブーム起伏操作操作信号に基づいてブーム起伏シリンダ５１に対応する制御バルブＶ１を電磁駆動し、入力されたブーム伸縮操作信号に基づいてブーム伸縮シリンダ５２に対応する制御バルブＶ２を電磁駆動し、入力されたブーム旋回操作信号に基づいてブーム旋回モータ５３に対応する制御バルブＶ３を電磁駆動する。また、作業台旋回操作レバー４２の操作により出力された作業台旋回操作信号に基づいて作業台旋回モータ５４に対応する制御バルブＶ４を電磁駆動する。
【００２０】
走行体内１０にはエンジンや電動モータ等（図示せず）により駆動される油圧ポンプＰが設けられており、この油圧ポンプＰより吐出される作動油は上記制御バルブＶ１，Ｖ２，Ｖ３，Ｖ４経由でブーム起伏シリンダ５１、ブーム伸縮シリンダ５２、ブーム旋回モータ５３、作業台旋回モータ５４に供給されるようになっている。ここでコントローラ６０が制御バルブＶ１，Ｖ２，Ｖ３，Ｖ４の各スプール（図示せず）をブーム操作レバー４１或いは作業台旋回操作レバー４２の操作に応じて電磁駆動すると、これによりブーム起伏シリンダ５１、ブーム伸縮シリンダ５２、ブーム旋回モータ５３、作業台旋回モータ５４に供給される作動油の方向及び流量が制御されるので、これら油圧アクチュエータは各操作レバー４１，４２の操作方向に対応した方向に、またその操作量に応じた作動速度で作動する。
【００２１】
また、油圧ポンプＰより吐出される作動油は制御バルブＶ５経由でレベリングシリンダ５５にも供給されるようになっている（図３参照）。ここで、コントローラ６０が制御バルブＶ５のスプールを電磁駆動すると、これに応じてレベリングシリンダ５５に供給される作動油の方向及び流量が制御される。すなわち、コントローラ６０は出力する制御信号により、レベリングシリンダ５５の作動（伸縮）方向と作動速度とを任意にコントロールすることが可能である。なお、このコントローラ６０によるレベリングシリンダ５５の伸縮作動制御は、ブーム３０が起伏或いは伸縮作動したとき、作業台４０の床面の水平姿勢を保つようにするために行われる、
【００２２】
ブーム式高所作業車１は上記構成を有するため、作業台４０に搭乗した作業者はブーム操作レバー４１を操作することによりブーム起伏シリンダ５１、ブーム伸縮シリンダ５２、ブーム旋回モータ５３を作動させてブーム３０を起伏、伸縮、旋回させることができ、作業台旋回操作レバー４２を操作することにより作業台旋回モータ５４を作動させて作業台４０を垂直ポスト３１まわりに水平旋回させることができる。このため作業台４０上の作業者は、自らのレバー操作により、作業台４０を所望に移動させて任意の位置での作業を行うことが可能である。
【００２３】
また、図２に示すように、ブーム３０内には、ブーム起伏シリンダ５１の伸長量等からブーム３０（基端ブーム３０ａ）が走行体１０に対してなす角度（すなわちブーム３０の起伏角度）θ１（図４参照）を検出する起伏角度検出器７１と、ブーム伸縮シリンダ５２の伸長量等からブーム３０の長さを検出する長さ検出器７２とが設けられており、走行体１０内には旋回台２０の走行体に対する位置等から旋回台２０の旋回角度（すなわちブーム３０の旋回角度）を検出する旋回角度検出器７３が設けられている。また、垂直ポスト３１の根元部にはレベリングシリンダ５５の伸長量等から作業台４０がブーム３０（先端ブーム３０ｃ）に対してなす角度θ２（図４参照）を検出する作業台角度検出器７４が設けられており、作業台４０内には作業台４０（の床面）が水平面に対してなす角度φ（図４参照）を検出する振り子式の絶対角度検出器７６が設けられている。上記起伏角度検出器７１、長さ検出器７２、旋回角度検出器７３、作業台角度検出器７４及び絶対角度検出器７６により検出された各情報はコントローラ６０に入力されるようになっており、ここにおいて作業台４０の走行体１０に対する位置等を算出し、或いは後述する作業台４０のレベリング（水平取り）制御のレベリングシリンダ５５への制御出力を行うようになっている。なお、絶対角度検出器７６により検出される上記角度φは、走行体１０の姿勢やブーム３０の撓みの如何によらず、作業台４０（の床面）の水平面を基準とした絶対的な傾き角として得られるので、以下の説明においてはこの角度φを「絶対角度」と称することにする。また、上記ブーム３０が走行体１０に対してなす角度や作業台４０がブーム３０に対してなす角度の検出は、シリンダの伸長量から間接的にでなく、ポテンショメータ等により直接検出するようにしてもよい。
【００２４】
図１に示すように、コントローラ６０は相対角度差算出部６１及びレベリングシリンダ制御部６２を有している。相対角度差算出部６１には起伏角度検出器７１により検出された上記角度θ１と作業台角度検出器７４により検出された上記角度θ２とが入力され、相対角度差算出部６１はこれら両角θ１，θ２から演算θ＝θ２−θ１を行って角度θを算出する。これら起伏角度検出器７１、作業台角度検出器７４及びコントローラ６０の相対角度差算出部６１（以下、これらをまとめて相対角度差検出器７５と称する）において検出される（求められる）上記角度θは、作業台４０（の床面）が走行体１０に対してなす角度、すなわち作業台４０（の床面）が走行体１０を基準とした相対的な傾き角として得られるので、以下の説明においてはこの角度θを「相対角度差」と称することにする。また、レベリングシリンダ制御部６２には、上記相対角度差検出器７５において検出された相対角度差θのほか、絶対角度検出器７６により検出された絶対角度φと、ブーム操作レバー４１の操作により出力されたブーム操作信号（ブーム起伏操作信号及びブーム伸縮操作信号）とが入力される。
【００２５】
走行体１０が傾斜のない水平な地面上にある場合、ブーム３０の姿勢によらず作業台４０を常時水平姿勢に保つためには、図４からも分かるように、相対角度差θ（＝θ２−θ１）が所定値（ここでは零とする）になるようにレベリングシリンダ５５を伸縮作動させる制御、すなわち相対角レベリング制御を行うか、或いは絶対角度φが所定値（ここでは零とする）になるようにレベリングシリンダ５５を伸縮作動させる制御、すなわち絶対角レベリング制御を行えばよい。相対角レベリング制御ではθ１，θ２の検出が即時にできるため相対角度差θが求められるのが速く、したがってブームの姿勢変化に対する作業台４０のレベリング追従性がよいという利点があるが、ブーム３０の伸長量が大きくブーム３０全体に下方撓みが生じているような場合には、相対角度差θを零に収斂させたとしても実際の作業台４０の床面は水平面から若干傾いた姿勢になってしまう欠点がある。一方、絶対角レベリング制御では絶対角度検出器７６が前述のように振り子式であるため角度（絶対角度）φの検出に或る程度時間がかかり、レベリング追従性がやや鈍いという欠点はあるものの、走行体１０が傾斜していたりブーム３０に下方撓みが生じていたりした場合でも、最終的には必ず作業台４０を完全な水平姿勢にすることができるという利点がある。以下に述べる本ブーム式高所作業車１に備えられた作業台４０のレベリング装置では、これら相対角レベリング制御と絶対角レベリング制御それぞれの利点を生かしたレベリング制御を行おうとするものである。
【００２６】
先ず、図１及び図５〜図７を用いて本ブーム式高所作業車１に備えられた作業台４０のレベリング装置の第１実施形態を示す。図５はコントローラ６０のレベリングシリンダ制御部６２（図１参照）が行う制御フローである。この制御はターミナルＴ１から制御を始めてターミナルＴ２へ抜ける制御をくり返し行うものであるが、コントローラ６０のレベリングシリンダ制御部６２は、先ず相対角度差検出器７５により検出された相対角度差θと絶対角度検出器７６により検出された絶対角度φとを読み取った後（ステップＳ１１，Ｓ１２）、ブーム操作レバー４１の操作により出力されるブーム操作信号の出力の有無により、現時点においてブーム３０の操作入力がなされているか否かの判断を行う（ステップＳ１３）。そして、このステップＳ１３においてブーム３０の操作入力がなされていないと判断した場合には、現時点における積算操作時間をリセットして（ステップＳ１８）フローを抜け、ブーム３０の操作入力がなされていると判断した場合には、それまでの積算操作時間に、タイマー６３により計測されるブーム３０の操作時間を加算する（ステップＳ１４）。
【００２７】
ステップＳ１４においてそれまでの積算操作時間にブーム３０の操作時間を加算したら、その加算後の積算操作時間（すなわちブーム操作レバー４１の操作継続時間）に応じて定められる所定の比率を相対角度差θと絶対角度φとに乗じるとともに、その比率が乗じられた相対角度差θと絶対角度φの和をとった角度を誤差（誤差角）γとして算出する。具体的には、加算後の積算操作時間、すなわち上記タイマー６３により計測されたブーム操作レバー４１の操作継続時間に応じて定められる比率（係数）α，βを別途設けたデータ記憶部（ＲＯＭ）より読み出すとともに（ステップＳ１５）、これら比率α，βを用いて、式γ＝（θ・α＋φ・β）／（α＋β）により得られる角度を誤差γとして算出する（ステップＳ１６）。ここで、上記両比率α，βは積算操作時間が小さいうち（すなわちブーム３０の作動開始後初期のうち）はαの値がβの値よりも大きく、時間の経過とともにαの値が初期値よりも減少し、βの値が初期値よりも増大するように設定される（後述する図６の説明参照）。
【００２８】
ステップＳ１６において誤差γを求めたら、コントローラ６０のレベリングシリンダ制御部６２は上記誤差γが所定値（ここでは零とする）になるように、制御バルブＶ５に制御信号を出力してこれを電磁駆動し、レベリングシリンダ５５の伸縮作動制御を行う（ステップＳ１７）。なお、コントローラ６０のレベリングシリンダ制御部６２が誤差γに応じて出力する制御出力（制御バルブＶ５のスプールを駆動する駆動信号）は例えば図７の通りであり、誤差γの値の絶対値が大きくなる程大きくなる、すなわち、誤差γの値の絶対値が大きくなる程レベリングシリンダ５５の作動速度は大きくなるようになっている。
【００２９】
この制御においては、ブーム操作レバー４１の非操作状態が維持されているときにはステップＳ１３からフローを抜けるためレベリングシリンダ５５の作動は行われないが、それまで非操作状態にあったブーム操作レバー４１を操作してブーム３０を起伏或いは伸縮作動させると、ステップＳ１３からステップＳ１４→Ｓ１５→Ｓ１６→Ｓ１７と進んでレベリングシリンダ５５の作動（作業台４０のレベリング制御）が行われる。そして、ブーム操作レバー４１が操作状態から元に戻されると、ステップＳ１３からフローを抜けてレベリングシリンダ５５の作動を停止させるとともに積算操作時間をリセットし（ステップＳ１８）、次にブーム操作レバー４１の操作が行われたときのレベリング制御に備える。
【００３０】
図６（Ａ），（Ｂ），（Ｃ）は上記比率α，βの設定例である。図６（Ａ）は、ブーム操作レバー４１の操作継続時間Ｔ（積算操作時間）が所定時間Ｔ0に達するまではα＝１００％，β＝０％が設定され、ブーム操作レバー４１の操作継続時間Ｔが所定時間Ｔ0に達した後はα＝０％，β＝１００％が設定されるようにした例である。この例では、ブーム操作レバー４１の操作継続時間Ｔが所定時間Ｔ0に達するまではγ＝θとなることからも分かるように相対角レベリング制御が行われ、ブーム操作レバー４１の操作継続時間Ｔが所定時間Ｔ0に達した後はγ＝φとなることからも分かるように絶対角レベリング制御が行われる。
【００３１】
図６（Ｂ）は、ブーム操作レバー４１の操作継続時間ＴがＴ＝０であるとき（すなわちブーム操作レバー４１の操作開始直後）にはα＝１００％，β＝０％が設定され、ブーム操作レバー４１の操作継続時間Ｔが増大するに連れてαは減少し、βは増大してαは０％に、βは１００％に漸近するように（但し、常にα＋β＝１００％）した例である。図６（Ａ）ではブーム操作レバー４１の操作継続時間Ｔが所定時間Ｔ0に達したときに相対角レベリング制御から絶対角レベリング制御に切り換わるため、相対角レベリング制御の終了時（ブーム操作レバー４１の操作継続時間Ｔが所定時間Ｔ0に達したとき）において絶対角度φの値（絶対値）が大きい場合にはレベリングシリンダ５５の作動速度は急激に大きくなり、作業台４０上の作業者に不安定感を感じさせるおそれがあるが、図６（Ｂ）では相対角レベリング制御から絶対角レベリング制御に徐々に移行する制御となるため、このような不都合は生じない。
【００３２】
図６（Ｃ）は、ブーム操作レバー４１の操作継続時間ＴがＴ＝０であるとき（ブーム操レバー４１の操作開始直後）にはαが５０％＜α＜１００％の範囲内の値に設定されるとともにβが０％＜β＜５０％の範囲内の値に設定され、ブーム操作レバー４１の操作継続時間Ｔが増大するに連れてαが０％＜α＜５０％の範囲内の値に漸近するとともにβが５０％＜β＜１００％の範囲内の値に漸近するように（但し、常にα＋β＝１００％）した例である（図６（Ｃ）では、αは９０％→４０％、βは１０％→６０％）。この例では、ブーム３０の作動開始から十分に時間が経過した後も完全に絶対角レベリング制御に移行するわけではないので、ブーム３０の姿勢変化に対する作業台４０のレベリング追従性に優れたものとなる（但し、ブーム３０の作動停止後において作業台４０（の床面）は水平姿勢から若干傾くことになる）。
【００３３】
このように第１実施形態に係るレベリング制御では、ブーム操作レバー４１の操作があったとき、コントローラ６０の相対角度差算出部６１により算出された相対角度差θ及び絶対角度検出器７６により検出された絶対角度φに、タイマー６３により計測されたブーム操作レバー４１の操作継続時間Ｔに応じて各々定められた比率α，βをそれぞれに乗じて得られた角度の和（誤差γ）が所定値（零）になるようにレベリングシリンダ５５を作動させる制御を行うようになっているので、ブーム３０の作動開始後、相対角レベリング制御の割合の強い制御から次第に絶対角レベリング制御の割合の強い制御へ移行させるようにすることができる。このため、ブーム３０の姿勢変化に対する作業台４０のレベリング追従性と十分な平衡度の確保との両立を図ることが可能である。また、このような構成ではブーム３０の作動開始直後において相対角レベリング制御と絶対角レベリング制御とが交互に入れ替わるようなことはないので、ブーム３０の作動開始直後に発生しがちな作業台４０の揺れを防止することもできる。
【００３４】
ここで、上記図６（Ａ）において示したように、ブーム操作レバー４１の操作継続時間Ｔ（積算操作時間）が所定時間Ｔ0に達するまではα＝１００％，β＝０％が設定され、ブーム操作レバー４１の操作継続時間Ｔが所定時間Ｔ0に達した後はα＝０％，β＝１００％が設定されるようにすれば、ブーム操作レバー４１の操作開始時は（計測されたブーム操作レバー４１の操作継続時間Ｔが所定時間Ｔ0に達するまでは）相対角レベリング制御（相対角度差θが零になるようにレベリングシリンダ５５を作動させる制御）が行われ、ブーム操作レバー４１の操作開始から所定時間が経過した後は（計測されたブーム操作レバー４１の操作継続時間Ｔが所定時間Ｔ0に達した後は）、絶対角レベリング制御（絶対角度φが零になるようにレベリングシリンダ５５を作動させる制御）が行われるようにすることができる。このような構成では、上記効果を得つつも制御プログラムを簡単にできるので、コストの低減を図ることができる。
【００３５】
次に、図１及び図８を用いて本ブーム式高所作業車１に備えられた作業台４０のレベリング装置の第２実施形態を示す。図８はコントローラ６０のレベリングシリンダ制御部６２（図１参照）が行う制御フローである。この制御はターミナルＴ１から制御を始めてターミナルＴ２へ抜ける制御をくり返し行うものであるが、コントローラ６０のレベリングシリンダ制御部６２は、先ず相対角度差検出器７５により検出された相対角度差θと絶対角度検出器７６により検出された絶対角度φとを読み取った後（ステップＳ２１，Ｓ２２）、ブーム操作レバー４１の操作により出力されるブーム操作信号の出力の有無により、現時点においてブーム３０の操作入力がなされているか否かの判断を行う（ステップＳ２３）。そして、このステップＳ２３においてブーム３０の操作入力がなされていると判断した場合には、別途設けられたオフディレータイマーをセット状態にする（ステップＳ２４）。なお、このオフディレータイマーは、ブーム操作レバー４１の操作入力が取り去られたとき（ブーム操作レバー４１が操作状態から元に戻されたとき）に時間計測がスタートし、予め設定された一定時間が経過した後にオフとなるタイマーである。
【００３６】
ステップＳ２４においてオフディレータイマーがセット状態にされたら、検出された相対角度差θを誤差γとし（ステップＳ２５）、この誤差γ（＝θ）が零になるように（すなわち、相対角度差検出器７５により検出される相対角度差θの値が零になるように）、制御バルブＶ５に制御信号を出力してこれを電磁駆動し、レベリングシリンダ５５の伸縮作動制御を行う（ステップＳ２６）。なお、ここでコントローラ６０のレベリングシリンダ制御部６２が誤差γに応じて出力する制御出力は第１実施形態の場合と同様である。
【００３７】
一方、上記ステップＳ２３においてブーム３０の操作入力がなされていないと判断した場合には（このとき上述のように、オフディレータイマーは時間計測を開始する）、検出された絶対角度φを誤差γとしたうえで（ステップＳ２８）、計測を始めたオフディレータイマーが現在オフディレー中（時間計測中）であるか否かを判断する（ステップＳ２９）。そして、オフディレータイマーが現在オフディレー中であると判断した場合にはステップＳ２６に入り、誤差γ（＝φ）が零になるように（すなわち、絶対角度検出器７６により検出される絶対角度φの値が零になるように）、制御バルブＶ５に制御信号を出力してこれを電磁駆動し、レベリングシリンダ５５の伸縮作動制御を行う。また、ステップＳ２９においてオフディレータイマーがオフディレー中でなかったと判断した場合にはフローを抜ける（レベリングシリンダ５５の作動を停止させる）。
【００３８】
この制御においては、ブーム操作レバー４１の非操作状態が維持されているときにはステップＳ２３からステップＳ２８に進んで絶対角レベリング制御に入るものの、オフディレータイマーがセットされることはないためそのままフローを抜け、レベリングシリンダ５５の作動は行われないが、それまで非操作状態にあったブーム操作レバー４１を操作してブーム３０を起伏或いは伸縮作動させると、ステップＳ２３からステップＳ２４→Ｓ２５→Ｓ２６と進んで相対角レベリング制御が行われる。そして、ブーム操作レバー４１が操作状態から元に戻されると、ステップＳ２３からステップＳ２８に進んで絶対角レベリング制御を一定時間（オフディレータイマーが切れるまで）継続して行う。
【００３９】
このように第２実施形態に係るレベリング制御では、ブーム操作レバー４１の操作が行われている間は相対角度差θを誤差γとしてこの誤差γが零になるように（相対角度差検出器７５により検出される相対角度差θの値が零になるように）レベリングシリンダ５５を作動させる制御を行い、ブーム操作レバー４１の操作が終了したときは、その終了時から一定時間、絶対角度φを誤差γとしてこの誤差γが零になるように（絶対角度検出器７６により検出される絶対角度φの値が零になるように）レベリングシリンダ５５を作動させる制御を行うようになっているので、ブーム３０の作動中には専ら相対角レベリング制御が行われ、ブーム３０の作動停止後には一定時間専ら絶対角レベリング制御が行われる。このため、ブーム３０の姿勢変化に対する作業台４０のレベリング追従性と十分な平衡度の確保との両立を図ることが可能である。また、このような構成はブーム３０の作動開始直後において相対角レベリング制御と絶対角レベリング制御とが交互に入れ替わるようなことはないので、ブーム３０の作動開始直後に発生しがちな作業台の揺れを防止することもできる。
【００４０】
図９はこの第２実施形態の変形例を示すフローである。この第２実施形態の変形例では、第２実施形態におけるフローのステップＳ２３とステップＳ２８との間に、検出された絶対角度φの大きさ（絶対値）が予め定めた所定の閾値φ0を上回っているか否かの判断を行うステップＳ２７が挿入されている。そして、絶対角度φの大きさが閾値φ0以下であると判断した場合にはフローを抜け、検出された絶対角度φの大きさが閾値φ0を上回っていると判断した場合には、ステップＳ２８に進むようになっている。このような制御では、ブーム操作レバー４１の操作終了時において、検出された絶対角度φが予め定めた閾値φ0以下である場合には絶対角レベリング制御は行われないので、上述の第２実施形態における効果に加え、ブーム操作レバー４１の操作終了後において生じ得る不必要な作業台４０の揺れの発生を防止することができる。
【００４１】
次に、図１及び図１０を用いて本ブーム式高所作業車１に備えられた作業台４０のレベリング装置の第３実施形態を示す。図１０はコントローラ６０のレベリングシリンダ制御部６２（図１参照）が行う制御フローである。この制御はターミナルＴ１から制御を始めてターミナルＴ２へ抜ける制御をくり返し行うものであるが、コントローラ６０のレベリングシリンダ制御部６２は、先ず相対角度差検出器７５により検出された相対角度差θと絶対角度検出器７６により検出された絶対角度φとを読み取った後（ステップＳ３１，Ｓ３２）、ブーム操作レバー４１の操作により出力されるブーム操作信号の出力の有無により、現時点においてブーム３０の操作入力がなされているか否かの判断を行う（ステップＳ３３）。そして、このステップＳ３３においてブーム３０の操作入力がなされていないと判断した場合にはフローを抜け、ステップＳ３３においてブーム３０の操作入力がなされていると判断した場合には、検出された絶対角度φの大きさ（絶対値）が予め定めた閾値φ0を上回っているか否かの判断を行う（ステップＳ３４）。
【００４２】
ステップＳ３４において絶対角度φの大きさが閾値φ0以下であると判断した場合には、検出された相対角度差θを誤差γとし（ステップＳ３５）、この誤差γ（＝θ）が零になるように（すなわち、相対角度差検出器７５により検出される相対角度差θの値が零になるように）、制御バルブＶ５に制御信号を出力してこれを電磁駆動し、レベリングシリンダ５５の伸縮作動制御を行う（ステップＳ３６）。一方、ステップＳ３４において絶対角度φの大きさが閾値φ0を上回っていると判断した場合には、検出された絶対角度φを誤差γとし（ステップＳ３７）、この誤差γ（＝φ）が零になるように（すなわち、絶対角度検出器７６により検出される絶対角度φの値が零になるように）、制御バルブＶ５に制御信号を出力してこれを電磁駆動し、レベリングシリンダ５５の伸縮作動制御を行う（ステップＳ３６）。なお、ここでコントローラ６０のレベリングシリンダ制御部６２が誤差γに応じて出力する制御出力は第１実施形態の場合と同様である。
【００４３】
この制御においては、ブーム操作レバー４１の非操作状態が維持されているときにはステップＳ３３からそのままフローを抜けるためレベリングシリンダ５５の作動は行われないが、それまで非操作状態にあったブーム操作レバー４１を操作してブーム３０を起伏或いは伸縮作動させると、現時点での絶対角度φの大きさが予め定めた閾値φ0を上回っているか否かが判断され、絶対角度φの大きさが閾値φ0以下であるときにはステップＳ３４からステップＳ３５→Ｓ３６と進んで相対角レベリング制御が行われる。また、絶対角度φの大きさが閾値φ0を上回っているときには、ステップＳ３４からステップＳ３７→Ｓ３６と進んで絶対角レベリング制御が行われる。そして、ブーム操作レバー４１が操作状態から元に戻されると、ステップＳ３３からフローを抜けてレベリングシリンダ５５の作動が終了する。
【００４４】
このように第３実施形態に係るレベリング制御では、ブーム操作レバー４１の操作が行われている間、絶対角度φの大きさが予め定めた所定値（閾値φ0）以下であるときには相対角度差θを誤差γとしてこの誤差γが零になるように（相対角度差検出器７５により検出される相対角度差θの値が零になるように）レベリングシリンダ５５を作動させる制御を行い、絶対角度φの大きさが上記所定値を上回っているときには絶対角度φを誤差γとしてこの誤差γが零になるように（絶対角度検出器７６により検出される絶対角度φの値が零になるように）レベリングシリンダ５５を作動させる制御を行うようになっているので、ブーム３０の作動中は基本的には相対角レベリング制御が行われ、何らかの原因により作業台４０が水平面に対して大きく傾いたときのみ絶対角レベリング制御が行われる。このため、ブーム３０の姿勢変化に対する作業台４０のレベリング追従性と十分な平衡度の確保との両立を図ることが可能である。また、このような構成ではブーム３０の作動開始直後において相対角レベリング制御と絶対角レベリング制御とが交互に入れ替わるようなことはないので、ブーム３０の作動開始直後に発生しがちな作業台４０の揺れを防止することもできる。
【００４５】
また、上述の第１〜第３実施形態に係るレベリング制御においては、絶対角レベリング制御が行われている間、相対角度差検出器７５により検出される相対角度差θのデータを更新保存しておき、その後、相対角レベリング制御（第１実施形態では相対角レベリング制御の割合の強いレベリング制御）を行う際に、その前に行われていた絶対角レベリング制御（第１実施形態では絶対角レベリング制御の割合の強いレベリング制御）の終了時における相対角度差θを初期の誤差γとするようにしてもしてもよい。このようにすれば、絶対角レベリング制御から相対角レベリング制御への切り換え時に、大きな誤差γ（＝θ）が検出されてレベリングシリンダ５５の作動速度が急激に大きくなり、作業台４０上の作業者に不安定感を感じさせるような事態を防止することができる。
【００４６】
これまで本発明の好ましい実施形態について説明してきたが、本発明の範囲は上述の実施形態に示したものに限定されない。例えば、上述の各実施形態において示したレベリング制御はそれぞれブーム式高所作業車の機種ごとに単独で用いられるようにしてもよいが、複数の実施形態に係るレベリング制御が、一つのブーム式高所作業車において、ブームの作動状態や作業台の位置等に応じて自動的に切り換えられる構成としてもよい。
【００４７】
また、本発明が適用されるブーム式高所作業車の走行体は、上述の実施形態ではタイヤ車輪により走行するものであったが、これは一例であり、その他の走行装置（例えばクローラ装置）により走行するものであってもよい。また、道路のみならず軌道上をも走行可能な軌陸両用タイプの走行体であってもよい。
【図面の簡単な説明】
【００４８】
【図１】本発明に係る作業台のレベリング装置の構成を示すブロック図である。
【図２】上記作業台のレベリング装置を備えたブーム式高所作業車の側面図である。
【図３】上記ブーム式高所作業車のブーム作動に関する制御系統を示すブロック図である。
【図４】基端ブームが走行体に対してなす角度θ１、先端ブームが作業台の床面に対してなす角度θ２及び作業台の床面が水平面に対してなす角度φを示す上記ブーム式高所作業車の側面図である。
【図５】上記ブーム式高所作業車に備えられたレベリング装置の第１実施形態を示す制御フローである。
【図６】（Ａ），（Ｂ），（Ｃ）とも、第１実施形態に係るレベリング制御において用いられる比率α，βの設定例である。
【図７】コントローラのレベリングシリンダ制御部が誤差γに応じて出力する制御出力の一例を示すグラフである。
【図８】上記ブーム式高所作業車に備えられたレベリング装置の第２実施形態を示す制御フローである。
【図９】上記ブーム式高所作業車に備えられたレベリング装置の第２実施形態の変形例を示す制御フローである。
【図１０】上記本ブーム式高所作業車に備えられたレベリング装置の第３実施形態を示す制御フローである。
【符号の説明】
【００４９】
１      ブーム式高所作業車
１０    走行体
３０    ブーム
４０    作業台
４１    ブーム操作レバー（ブーム操作手段）
５１    ブーム起伏シリンダ（ブーム作動手段）
５２    ブーム伸縮シリンダ（ブーム作動手段）
５５    レベリングシリンダ（アクチュエータ）
６０    コントローラ（ブーム作動手段、アクチュエータ制御手段）
６１    相対角度差算出部（演算手段）
６２    レベリングシリンダ制御部（アクチュエータ制御手段）
６３    タイマー（時間計測手段）
７１    起伏角度検出器（ブーム起伏角度検出手段）
７４    作業台角度検出器（作業台角度検出手段）
７５    相対角度差検出器（相対角度差検出手段）
７６    絶対角度検出器（絶対角度検出手段）
θ      相対角度差
φ      絶対角度
γ      誤差
【図１】
2006016092.tif 000003
【図２】
2006016092.tif 000004
【図３】
2006016092.tif 000005
【図４】
2006016092.tif 000006
【図５】
2006016092.tif 000007
【図６】
2006016092.tif 000008
【図７】
2006016092.tif 000009
【図８】
2006016092.tif 000010
【図９】
2006016092.tif 000011
【図１０】
2006016092.tif 000012